(57)【要約】【課題】床面を滑走する滑走体の移動範囲を制御し、室内外を問わず老若男女、車椅子使用の身障者まで、簡単なゲーム感覚のもとに誰でも容易に楽しめる遊技用床面滑走ボールを提供する。【解決手段】球状滑走体又は造形滑走体に部分欠除して形成するフラット面を底辺部に有し、床面接触の抵抗を小さくする滑走補助具を重量体として具備し、床面滑走を容易にしながらも万一正常な滑走状態を保てず横転、転倒しても停止直前には、高い確率で姿勢制御を行い自立復帰するのを特徴とした、遊技用床面滑走ボールとする。【選択図】        図２
2005013690.tif 000002
【特許請求の範囲】
【請求項１】
球状滑走体、又は造形滑走体に、床面滑走させる為の滑走補助具を具備するのを特徴とする遊技用床面滑走ボール。
【請求項２】
球状滑走体、又は造形滑走体に底面部分とするフラット面を有するのを特徴とし、該フラット面に床面滑走させるための滑走補助具を具備して形成するのを特徴とする請求項１に記載の遊技用床面滑走ボール。
【請求項３】
球状滑走体又は造形滑走体に具備する滑走補助具の床面接触部分は、接地部固定による接触点で滑走する構造であり、さらに滑走補助具自体が重心偏在用の重量体を兼ねる滑走補助具を底辺部として高い確率で姿勢制御を成して自立復帰できるのを特徴とする請求項１、及び請求項２に記載の遊技用床面滑走ボール。
【請求項４】
滑走補助具において、滑走補助具の重量が球状滑走体又は造形滑走体より軽量となる場合、重量調整の為の加重板の補足装着も自在とする滑走補助具である事を特徴とする請求項１、請求項２及び請求項３に記載の遊技用床面滑走ボール。
【請求項５】
滑走補助具の床面接触部分の形状において、床面接触部分の接地部をリング状或いは直線、曲線等による線接触形状、或いは３ヶ所以上の接地部で形成する点接触形状として且安定姿勢を保てる構造である事を特徴とする請求項１、請求項２、請求項３及び請求項４に記載の遊技用床面滑走ボール。
【請求項６】
球状滑走体又は造形滑走体に具備する滑走補助具の装着方法は、固定又は着脱自在を特徴とする請求項１、請求項２、及び請求項３に記載の遊技用床面滑走ボール。
【発明の詳細な説明】
【０００１】
【発明の属する技術分野】
本発明は滑走体に滑走補助具を具備し、該滑走補助具の床面接地部分を固定し、床面を滑走移動する範囲を制御した遊技用床面滑走ボールに関する。
【０００２】
【従来の技術】
従来の球技として、例えばボーリング、バスケットボール、バレーボール、卓球、そしてソフトボールや野球等々その他数多くあるが、これらのほとんどはボールを投げたり叩いたりすることでボールは空中移動を主体としてスピードを伴う激しいスポーツとなっている。又、ボールの回転運動を利用して床面又は地面を転走移動する球技として、古くは１２世紀英国で発祥したクロッケーに始まり現在ではパットゴルフや高年者に人気のゲートボール或いはボーリングなどがあり。又、氷上球技としてアイスホッケーやストーンを使うカーリング等がある。
【０００３】
尚、氷上に限らずカーペット上でストーンを滑らせるユニカールや、一般のフラットな床面でカーリングを楽しむために、模擬ストーンと称される底面にローラーやベアリングを取付けたものなどもある。実際に老人保健施設で高年者がカーリングを模したフロアカーリングを楽しむ様子が２００３年４月２２日付の読売新聞で紹介されているが、このように誰でも参加できる球技はまだ少ない。
【０００４】
本発明の床面滑走ポールは床面滑走という観点に於いて、カーリング様の模擬ストーンに係わるものと考えられるので参考文献として以下記述する。
【０００５】
参考文献番号とその概略
実開平６−７５５４５  楕円球体底辺にベアリング及びキャスターを螺子止め。
実開平６−６４６７８  円盤状底辺にベアリング及びローラーを取り付孔に挿入固定。
特開平７−３２８１５９  円盤状滑走体底辺に滑走方向に回転する転動体を多数設ける。
特開平１１−３１３９０８  円盤状底辺に３個以上のベアリングを使用、ハンドル付き。
特開平２００２−７８８３７  円盤状滑走基体の下面に滑走ローラーを設けスティック使用。
特開平２００１−２３１９０３  円柱体の標的親玉に向け滑走子玉を棒状打具で打つ遊具。
特開平２００１−２２４８３４  円盤状チップに錘を埋め込み、スティック使用のゲーム盤。
特開平２０００−３１７０２７  平滑底面を有する扁平球体をカーリング様に投てきして遊ぶ小さい室内用テーブルゲーム。
【０００６】
以上に記述の出願で共通するものの殆んどは、滑走体の移動手段としてベアリングやキャスター又はローラー等による球体の回転による滑走体の転走移行運動を解決手段としているものである。
【０００７】
【発明が解決しようとする課題】
球状滑走体又は造形滑走体において、滑走補助具を介する床面接地部が球体のローラーやペアリング等の回転による転走運動ではなく、転走距離を制御するために床面接地部を固定して床面滑走運動とする事で、滑走体の移動空間即ち運動範囲を狭めることが可能であり、室内外を問わず幼児から高齢者、又は車椅子使用の身障者まで、技術的要素を必要とせず且、簡単なゲーム感覚のもとに意外性を含みながらも、誰でも容易に楽しめる遊技用床面滑走ボールを提供する。
【０００８】
【課題を解決するための手段】
上記課題を解決するために本発明は、まず球面体や多面球体及び造形物や動植物或いは視覚的にも楽しめるアニメキャラクター等を、球体状にデザイン化したものを球状滑走体とし、又、円柱体や円盤状体、及び円錐体や多面円錐体、或いはこれらの組み合わせ体等とするものを球状体以外の造形滑走体とし、該球状滑走体又は球状体以外の造形滑走体に滑走補助具を底辺部として具備するのを特徴とする請求項１に記載の遊技用床面滑走ボールである。
【０００９】
球状滑走体又は球状体以外の造形滑走体は、滑走基体を部分欠除した状態で形成するフラット面を底辺部として有し、さらに該フラット面に床面滑走させるための滑走補助具を具備するのを特徴とする請求項１、請求項２に記載の遊技用床面滑走ボールとする。
【００１０】
本発明の滑走補助具はベアリングやローラー等の転走回転運動を採用せず、床面滑走を目的として移行範囲を制御する構造とするものであり、滑走補助具を具備することで床面滑走を容易にしながらも移動空間即ち移行運動範囲を狭めることを可能とし老若男女誰でも参加できる遊技用床面滑走ボールとして解決できる。
【００１１】
又、滑走体を球状体に限らずカーリングのストーンを滑走させる様に、円柱体及び円盤状体の底辺部に有するフラット面に、床面滑走させるための滑走補助具を具備して形成すれば、移行運動範囲を狭めて従来と異なる模擬カーリングの感覚でも遊べ、手による押し出しやスティック等での打撃など多様な遊びとなる遊技用床面滑走ボールとなる。
【００１２】
球状滑走体及び造形滑走体の基体部分を欠除又は切除状態でフラット面を形成して設ける事は重心を低く保つ効果があり、具備する滑走補助具は金属性等の比重の重い素材を採用し重心偏在用の重量体とすれば、フラット面を底面として安定姿勢を容易に保て、特に球状滑走体に於いては、万一正常な滑走状態を保てず横転、転倒、転回してもフラット面に具備する滑走補助具を底面として、高い確率で姿勢制御を行い自立復帰するのを特徴とした面白い遊技用床面滑走ボールとなった。特に造形滑走体のデザイン次第で例えばダルマなどでは、転回移動後目を剥いたダルマがピョコッと立ち上がる様子は滑稽でもあり笑いを誘う遊技用床面滑走ボールとなる。
【００１３】
さらに、重心点が高い円錐体及び多面円錐体又はその組み合わせ体などの球状体以外の造形滑走体底辺部に有するフラット面に、床面滑走させるための滑走補助具を具備して構成すれば、転倒、横転させない為の高度な技法なども要求され、転倒したらペナルティを課すなど別の感覚でのゲーム手法や組立ても考察され、幅広い楽しみ方が期待できる遊技用床面滑走ボールとすることもできる。
【００１４】
しかるに高い確率で自立復帰するものの、特に造形滑走体に於いては完璧な正常滑走が保障されるものではなく、横転、転倒させないためにはそれなりの技術を少々要求されるものとなり、それらの要素が逆にゲーム性を高める結果となる遊技用床面滑走ボールでもある。
【００１５】
滑走補助具の形状及び構造において、床面に対する接触面をリング状或いは直線、曲線、変形線等による線接触とするか、又は３ヶ所以上の玉球体或いは突出点による球面接地とする点接触等で形成するなど、その構造はいろいろと考察されるが何れにせよ球状滑走体及び球状体以外の造形滑走体が、安定姿勢を保てる滑走補助具の構造形態とする事が重要である。
【００１６】
球状滑走体及び球状体以外の造形滑走体に具備する滑走補助具の装着方法は接着剤や螺子止めとして固定しても良く、又滑走体と滑走補助具とを着脱自在に構成するなど、その装着方法を限定しない遊技用床面滑走ボールとするものである。
【００１７】
【発明の実施の形態】
以下、本発明の実施例について図面を参照して説明する。
【００１８】
【実施例１】
本実施例１は球状滑走体での球面体に関するものであり、図１は本実施例１の正断面図Ａ−Ａ｀であり、図２の（イ）は底面図、（ロ）は上面図で図１のＡ−Ａ｀の断面線を示す。
【００１９】
図１で示すように本発明の実施例１での床面滑走ボール１１の構造は、球面体とする球状滑走体２１と椀型滑走補助具３１で構成され、椀型滑走補助具３１は球面滑走体２１にネジ４１で螺子止め固定装着する。
【００２０】
椀形滑走補助具３１の床面に接地する床面接地部５１は断面形状を円形状として、図２（イ）の底面図で示す通り、リング状に形成し線接触点５２とすることで床面との接触抵抗面積を小さくして球状滑走体２１の滑走を容易にするとともに、回転運動による回走を制御し球状滑走体２１の移行運動範囲を抑えることができる、請求項１に記述の遊技用床面滑走ボールである。
【００２１】
尚、本実施例１では、球面滑走体にゴルフボール等を採用すれば感触はそのままに室内でのパターの練習用に促適用でき、ゴルフボールが遠く迄転げ去る従来の欠点を解決できる。
【００２２】
【実施例２】
本実施例２は実施例１と同様に球状滑走体に関するものであり、図３は本実施例２の正断面図Ｂ−Ｂ｀であり、図４の（イ）は底面図、（ロ）は上面図で図３のＢ−Ｂ｀断面線を示す。
【００２３】
本実施例２での遊技用床面滑走ボール１２は、実施例１の床面滑走ボール１１の改良に関するものであるが、本発明の代表例とするものであり実施例１と重複する記述もあるが、より詳細に説明する。
【００２４】
図３で示すように本発明の実施例２での遊技用床面滑走ボール１２の構造は、球状滑走体に部分欠除又は切除状に形成するフラット面４２を必ず有するのを特徴とする球状滑走体２２であって、さらに重量体を兼ねるリング状滑走補助具３２をフラット面４２に接着剤で接着固定して遊技用床面滑走ボール１２を完成する請求項２に記述のものである。
【００２５】
尚、本実施例２での重量体を兼ねるリング状滑走補助具３２は球面滑走体２２に有するフラット面４２側に、金属性リング４３の寸法に合致させてリング状溝又は窪み壁４４を設け、該溝又は窪み壁４４に金属性リング４３を埋め込み又は係合させ接着材で固定装着した。
【００２６】
リング状滑走補助具３２の金属性リング４３は図３の正断面図で示すように、床面接地部５１の接触断面で観る限り点とする点接触であるが、図４（イ）の底面図で示すようにリング状に一周して形成することで線接触点５２となり、直接フラット面状態で床面接触する面積の抵抗に比べ、リング状滑走補助具３２を介して床面との接触面を線接触して抵抗摩擦を小さくしている。故にベアリングやローラー又はキャスター等を使用しなくても、床面滑走を容易にして、且、移行運動距離を制御する特性を持つ球状滑走体２２とする遊技用床面滑走ボール１２である。
【００２７】
尚、重量体を兼ねるリング状滑走補助具３２の重量が球状滑走体２２に比べ軽量となる場合は、図３及び図４（イ）で示すように併用加重板４５を貼り付け付与して重量比調整をする。
【００２８】
球状滑走体１２の最大円周寸法に対してフラット面を形成する円周寸法が小さいために、中央部に膨らみを持った球面体としての形状を維持しながらも、重量体とするリング状滑走補助具３２及び併用加重板４５の重量と形状作用により、万一横転，転倒状態が起こっても、フラット面４２に具備するリング状滑走補助具３２を底辺面として高い確立で安定姿勢に自立復元して停止する遊技用床面滑走ボール１２とすることができた。尚併用加重板４５の採否は自由である。
【００２９】
本実施例２での球状滑走体２２の大きさは、ゴルフボールから野球のボールまでの間として手中に握り込める程度の大きさを適当とする。
【００３０】
又、本発明の実施例２での球状滑走体２２の素材は、硬質の木材を採用し、ゲートボール状のスティック等を使って打ち出すと、かん高い音を発し爽快感を得る効果も生まれストレス解消にもなる。それに形状が亀の甲羅を連想させるためタートルボール（ゲーム）と称すればイメージ的にも省エネ運動の感がある。
【００３１】
【実施例３】
本実施例３は実施例１及び実施例２と同様に球状滑走体に関するものであるが、図５で示す通り球状滑走体を多面球体とした床面滑走ボール１３である。
【００３２】
図５の（イ）は多面球状滑走体２３の正面図であり、（ロ）は同多面球状滑走体２３の底面図で、加重円板４７に金属性玉球４６の配置添着状態を示す玉球滑走補助具３３である。
【００３３】
本発明の実施例３は多面球体の実施例とするもので、床面滑走ボール１３の形状を、図５（イ）で示すように、多面球体で代表されるサッカーボールを模倣例題としてデザインしたものである。又タートルボールとして亀甲紋状に着色したものとしても良く、或いはテントウ虫とも考えられ、即ち滑走体自体のデザインは多様に考察できるものである。
【００３４】
そこで、本実施例３での、玉球滑走補助具３３はパチンコ玉状の金属性玉球４６を採用し、重量調整用の加重円板４７に金属性玉球４６の寸法に合致する窪みを設け、金属性玉球４６の体積半分を埋め込み状に、半分を突設添着して玉球滑走補助具３３を完成させ、さらに、多面球状滑走体２３に有するフラット面４２と該玉球滑走補助具３３とを合体接着する。又半球状の玉を加重円板４７に接着剤等で貼り付けても良い。
【００３５】
尚、滑走基体と滑走補助具の重量比次第では、金属性玉４６を滑走補助具に有するフラット面４２に直接添着し、この場合加重円板４７は使わなくても良い。
【００３６】
図５の（イ）正面図及び（ロ）の底面図で示すように、金属性玉球４６の床面接地部の接触は独立した５点とする金属性玉球４６の中心点とする点接触５３となり、フラット面４２に５ヶ所、即ち５個の金属性玉球４６をバランスよく配備して多面球状滑走体２３の安定姿勢を保持している。５個の金属性玉球４６の５接触点は床面との接触面を小さくして抵抗摩擦を少なくしている。故にベアリングやローラー、又はキャスター等を使用しなくても、床面滑走を容易にして、且、移行運動距離を制御する特性を持つ遊技用床面滑走ボール１３とするものである。
【００３７】
実施例１で示す遊技用床面滑走ボール１２を２色にチーム分けし、その中に本実施例３で示す多面球状滑走体２３のサッカーボール１個を入れてサッカーゲームを組み立て楽しむことができる。それに若者に人気が高いサッカーゲームのルールや選手の攻撃位置など実戦に即して習得できる教材としても活用すれば、作戦解説用として使えるなど重宝な遊技用床面滑走ボールとなる。
【００３８】
【実施例４】
本発明の実施例４は、動物及びキャラクターをデザイン化した造形球状滑走体に関するものである。形状を図６の正面図で示すように動物をテーマにひよこを一例として球体状にデザイン化して想定したものである。
【００３９】
造形球状滑走体２４の形状はゲーム展開に支障がないように。主要部分を卵とひよこの一体化で球体状に構成している。
【００４０】
尚、本実施例４に於ける造形球状滑走体２４に具備するカップ式滑走補助具３４の装着方法は、着脱自在とする請求項６の記述に関するものを例題としている。
【００４１】
請求項６に記述の着脱自在については図６で示すとおり、造形滑走体２４とカップ式滑走補助具３４との組み合わせ合体による手段を採用した。
【００４２】
滑走補助具３３は、合体部分にカップ状の形状を成して設け、接地面とするその底辺部構造は床面との接触抵抗摩擦を小さくするための、実施例１で示す金属性リング４３による線接触点５２法を採用しても良く、或いは実施例３で示す金属性玉球４６の点接触５３法の点接地により滑走させる遊技用床面滑走ボール１４である。
【００４３】
又、本実施例４に於ける造形球状滑走体２４の素材は一体成型可能な樹脂製品やスポンジ等で造形する方がカップ部４８との組み合わせ合体に都合が良い。
【００４４】
【実施例５】
本発明の実施例５は球状体以外の滑走体に関するものであり、図７は円盤状模擬ストーン滑走体２５の正面図であり、
【００４５】
図７はカーリングで使うストーン形状を模擬した模擬ストーン滑走体２５であるが、形状から推察の如く転倒横転の心配はなく手で押し出してフロアカーリングを楽しむことができる。
【００４６】
模擬ストーン滑走体２５の寸法径はＣＤ盤程度の１０ｃｍ前後のものを最適とし、当然底面部には本考案の特徴とするリング状滑走補助具３２或いは玉球滑走補助具３３等を具備するものである。即ち滑走補助具の床面接触部分自体は回転可動を拒否し、固定する構造としてあくまでも滑走状態による滑走体の移行運動を特徴とする、請求項３〜５に記述する滑走体とするもので、従来の技術にあるようなベアリングやローラー又はキャスター等を使用しなくても、床面滑走を容易にして、且、移行運動距離を制御する特性を持つ模擬ストーン滑走体２５とする遊技用床面滑走ボール１５である。
【００４７】
【実施例６】
図８は円柱と円錐との組合わせ形状の球状体以外の造形滑走体を例題として示す複合形状滑走体２６の斜視図である。
【００４８】
複合形状滑走体２６に具備する滑走補助具の構造は、これまで記述の通りとする。
【００４９】
図９は滑走補助具の点接触とする玉球以外の部材の形状を示す斜視図である。
（イ）は長い卵型、（ロ）は楕円錐型、（ハ）は円錐型、（二）は多角錐型を示す。
【００５０】
然るに、本発明では実施例１から本実施例６まで記述の如く、滑走体自体のデザイン、形状にこだわるものでなく滑走補助具の構造及びその装着状態を含め、床面滑走を目的として解決手段を求める遊技用床面滑走ボールとするものである。
【００５１】
【発明の効果】
滑走補助具部分にベアリングやローラー又はキャスター等を使用しないためコスト面で有利であり、又安全性と共に商品の強度性を高めた。
【００５２】
滑走体のデザイン等の造形、創作にいろいろと思考を加え、楽しくて美しいゲーム感が創造できる遊技用床面滑走ボールとすることができた。即ち、幅広い分野に及ぶいろんなゲーム構築が考察できて市場性が大きい。
【００５３】
従来の床面接地部が球体のローラーやペアリング等の回転移動ではなく、本発明は転走距離を制御するために滑走補助具を介して滑走体の移動範囲を狭め、室内外を問わず滑らか床面が確保できれば、老若男女誰でも気軽に本発明の遊技用床面滑走ボールを楽しむことができる。
【００５４】
幼児や高齢者は手で押し出して遊べるし、車椅子の身障者はスティックで操作することもできる。又、健常者はスティックを使い強打しながら長い距離のかなり広い範囲でゲームを健康的に楽しむこともできるのである。
【００５５】
手での押し出し、又はスティックでの打ち出し等が力加減によっては、横転、転倒、回転のハプニングがたまに起こるので、上手になるために少々の技法を必要とすることが逆にゲームの面白さを作り出し、熱中する要素も秘めながら飽きがこないゲームとしての効果も生まれる遊技用床面滑走ボールとなった。
【００５６】
【図面の簡単な説明】
【図１】本発明の実施例１とする正断面図Ａ−Ａ｀である。
【図２】本発明の実施例１とする（イ）は底面図、（ロ）は上面図で図１のＡ−Ａ｀断面線を示す。
【図３】本発明の実施例２とする正断面図Ｂ−Ｂ｀である。
【図４】本発明の実施例２とする（イ）は底面図、（ロ）は上面図で図３のＢ−Ｂ｀断面線を示す。
【図５】本発明の実施例３とする（イ）は正面図であり、（ロ）は底面図である。
【図６】本発明の実施例４とする正面図である。
【図７】本発明の実施例５とする（イ）は正面図であり、（ロ）は底面図である。
【図８】本発明の実施例６とする斜視図である。
【図９】本発明の玉球以外の部材を示す斜視図である。
【符号の説明】
１１，１２，１３，１４，１５，１６、床面滑走ポール
２１，２２、                        球状滑走体
２３、                              多面球状滑走体
２４、                              造形球状滑走体
２５、                              模擬ストーン滑走体
２６、                              複合造形滑走体
３１、                              椀型滑走補助具
３２、                              リング状滑走補助具
３３、                              玉球滑走補助具
３４、                              カップ式滑走補助具
４１、                              ネジ
４２、                              フラット面
４３、                              金属性リング
４４、                              溝又は窪み壁
４５、                              併用加重板
４６、                              金属製玉球
４７、                              併用加重円板
４８、                              カップ部
５１、                              床面接地部
５２、                              線接触点
５３、                              点接触点
【図１】
2005013690.tif 000003
【図２】
2005013690.tif 000004
【図３】
2005013690.tif 000005
【図４】
2005013690.tif 000006
【図５】
2005013690.tif 000007
【図６】
2005013690.tif 000008
【図７】
2005013690.tif 000009
【図８】
2005013690.tif 000010
【図９】
2005013690.tif 000011